(57)【要約】【課題】収容空間からシートを容易に取り出すことができる技術を提供する。【解決手段】蓋１３０は、本体１１０の開口１１２を開閉する開閉部１３０ａ、摘み部１３０ｂ、ウェットティッシュ１５１と係合可能な係合体１４０を有している。ウェットティッシュ１５１は、折り返し部１５１ｅ、１５１ｆで折り返された状態で本体１１０の収容空間１１０Ｈ内に積み重ねられている。最上部のウェットティッシュ１５１の先端部１５１Ｘの一部は、開口１１２に対向する箇所に配置される。最上部のウェットティッシュ１５１の先端部１５１Ｘより後端部１５１Ｙ側の折り返し部１５１ｅは、開閉部１３０ａによって開口１１２が閉じられている時に、開口１１２を挟んで摘み部１３０ｂと反対側に配置される。また、係合部１４０は、開閉部１３０ａによって開口１１２が閉じられている時に、最上部のウェットティッシュ１５１の先端部１５１Ｘと折り返し部１５１ｅとの間の部分に対向する箇所に配置される。【選択図】図２
2010042826.tif 000002
【特許請求の範囲】
【請求項１】
本体と、蓋と、シートを備え、前記本体は、前記シートを収容する収容空間と、前記収容空間から前記シートを取り出すための開口を有しており、前記シートは、前記収容空間内に積み重ねられており、前記蓋は、前記本体の開口を開閉する開閉部と、当該開閉部から延びている摘み部を有するとともに、一つの面に塗布された接着剤によって、前記本体の表面に剥離可能に接着されている収容体であって、
前記蓋は、前記一つの面の側に、前記開閉部によって前記開口が閉じられている時に前記開口と対向する箇所に、前記シートと係合可能な係合部を有しており、
前記シートは、少なくとも１つの折り返し部で折り返される複数の片を有しており、
また、前記シートは、端部のうち前記開口から最初に取り出される端部の一部が、前記開口に対向する箇所に配置されるとともに、前記開口から最初に取り出される端部より前記開口と反対側に隣接する折り返し部が、前記開閉部によって前記開口が閉じられている時に、前記開口を挟んで前記摘み部と反対側に配置されるように積み重ねられており、
前記係合部は、前記開閉部によって前記開口が閉じられている時に、前記開口側に積み重ねられているシートの、前記開口から最初に取り出される端部と、当該端部より前記開口と反対側に隣接する折り返し部との間の部分に対向する箇所に配置されることを特徴とする収容体。
【請求項２】
請求項１に記載の収容体であって、前記シートは、積み重ね方向から見て、前記開口から最初に取り出される端部の長さが、当該端部と直交する方向の長さより長くなるように折り返されていることを特徴とする収容体。
【請求項３】
請求項１または２に記載の収容体であって、隣接して積み重ねられているシートのうち前記開口と反対側のシートの前記開口から最初に取り出される端部は、前記開口側のシートの片の間に挟まれていないことを特徴とする収容体。
【請求項４】
請求項１〜３のいずれかに記載の収容体であって、前記シートの前記開口から最初に取り出される端部は、折り返し部であることを特徴とする収容体。
【請求項５】
請求項１〜４のいずれかに記載の収容体であって、前記係合部は、接着剤あるいはメカニカルテープによって構成されていることを特徴とする収容体。
【請求項６】
請求項１〜５のいずれかに記載の収容体であって、
前記蓋は、前記本体の表面からの剥離を防止するための剥離防止部を有しており、
前記シートの、前記開口から最初に取り出される端部より前記開口と反対側に隣接する折り返し部は、前記蓋の剥離防止部と平行に配置されることを特徴とする収容体。
【発明の詳細な説明】
【技術分野】
【０００１】
本発明は、シートを順次取り出し可能に収容する収容体に関し、特に、収容されているシートを容易に取り出すことができる収容体に関する。
【背景技術】
【０００２】
皮膚等に付着した汚れを落とすために、ウェットティッシュ等の種々のシートが用いられている。シートは、通常、収容体に収容されている。例えば、収容体は、本体と蓋により構成される。本体は、シートを積み重ねた状態で収容する収容空間と、収容空間からシート取り出すための開口を有している。蓋は、本体の開口を覆う大きさに形成され、本体の表面に剥離可能に接着される。このような収容体では、ユーザは、シートを使用する際に、最上部に積み重ねられているシートの、開口に対向する部分を摘み、開口から取り出す操作を行う必要がある。
そこで、シートを開口から取り出す際の操作性を改善するために、図１８および図１９に示されている収容体８００が提案されている（特許文献１参照）。この収容体８００は、本体８１０と蓋８３０により構成されている。本体８１０は、熱融着可能なフィルムを、縦シール部（図示省略）および横シール部８１１ａ，８１１ｂで加熱することによって形成される。本体８１０は、上壁８１０ａと下壁８１０ｂにより形成される収容空間を有している。この収容空間には、シート８５１を積み重ねた積み重ね体８５０が収容されている。上壁８１０ａには、開口縁端部８１２ａと８１２ｂの間に開口縁８１２ｃが形成されているとともに、切断線８３３ａが形成されている。この開口縁８１２ｃと切断線８３３ａによって、孔８３３ｂを有する舌片８３３が形成される。また、舌片８３３が上壁８１０ａから離れることによって、開口８１２が形成される。蓋８３０は、基材８３１と、基材８３１に塗布された接着剤８３２により構成され、開閉部８３０ａと摘み部８３０ｂを有している。蓋８３０は、接着剤８３２によって、本体８１０の上壁８１０ａの表面に剥離可能に接着される。この時、蓋８３０の接着剤８３２によって、舌片８３３が蓋８３０に接着される。これにより、舌片８３３は、蓋８３０と共に移動する。
シート８５１を使用する際には、図１８に示されている状態（開口８１２が閉じている状態）で、ユーザは、蓋８３０の、孔８３３ｂに対応する箇所に、黒矢印の方向に力Ｆを加える。これにより、最上部に積み重ねられているシート８５１の、孔８３３ｂに対応する部分が、接着剤８３２によって蓋８３０に接着される。そして、蓋８３０の摘み部８３０ｂをユーザの指で摘み、図１９に黒矢印で示されている方向に移動させると、蓋８３０（基材８３１）が、本体８１０の上壁８１０ａの表面から剥離される。この時、基材８３１に接着されている舌片８３３も本体８１０の上壁８１０ａから離されるため、開口８１２が開く。したがって、シート８５１の孔８３３ｂに対応する部分が、開口８１２から引き出される。そして、開口８１２から引き出されたシート８５１の部分をユーザの指で摘んで引っ張ることによって、シート８５１全体が開口８１２から引き出される。シート８５１を使用しない場合には、蓋８３０の摘み部８３０ｂをユーザの指で摘み、図１９に黒矢印で示されている方向と反対方向に移動させる。これにより、蓋８３０が図１８に示されている箇所に移動され、開口８１２が閉じる。
【特許文献１】特開２００２１−１１４３５７号公報
【発明の開示】
【発明が解決しようとする課題】
【０００３】
特許文献１に開示されている収容体８００では、ユーザの操作性が改善されている。しかしながら、シート８５１が収容空間内に単に積み重ねられているため、シート８５１の、舌片８３３の孔８３３ｂに対応する箇所を、開口８１２から引き出す際の抵抗力が大きい。このため、シート８５１の、舌片８３３の孔８３３ｂに対応する箇所を開口８１２から引き出すことができない場合がある。
本発明は、このような点に鑑みて創案されたものであり、積み重ねられた状態で収容空間に収容されているシートを開口から容易に、確実に取り出すことができる技術を提供することを目的とする。
【課題を解決するための手段】
【０００４】
本発明は、本体と蓋を備えている。本体は、シートを収容する収容空間と、シートを収容空間から取り出すための開口を有している。本発明の収容体に収容されるシートは、繊維材料により形成され、柔らかい種々のシートを包む。典型的には、繊維材料をシート状に形成した基材（例えば、不織布、ガーゼ、コットンシート、ティッシュペーパー）に液体（例えば、アルコール、消毒液、化粧水）等を含浸させたウェットティッシュが収容される。本体は、種々の材料によって形成される。例えば、ラミネートフィルム、典型的には、熱融着フィルムを含むラミネートフィルムによって形成される。蓋は、開閉部と、開閉部から延びる摘み部を有している。開閉部は、本体の開口を覆うことができる大きさを有している。そして、蓋は、一つの面に塗布された接着剤によって、本体の表面に接着される。接着剤としては、蓋を、本体の表面に繰り返し剥離可能に接着する接着剤（例えば、感圧接着剤）が用いられる。接着剤は、蓋の一つの面全体に塗布されてもよいし、一部（例えば、摘み部を除く部分）に塗布されてもよい。開口を開ける際には、通常、摘み部を引っ張り、開閉部を、本体の表面から、摘み部側から順に剥離する。
また、蓋は、１つの面の側（接着剤が塗布される側）に、シートと係合可能な係合部を有している。係合部として、収容されるシートが係脱自在に係合する係合部が用いられる。係合部は、蓋の開閉部によって本体の開口が閉じられた時に本体の開口と対向する箇所に配置される。
シートは、少なくとも１つの折り返し部で折り返される複数の片を有している。シートを構成する片の数や折り返し方法は適宜選択可能である。シートは、折り返された状態で積み重ねられ、本体の収容空間内に収容される。シートの積み重ね方向は、開口と交差する方向に設定される。開口と交差する方向は、開口の面に交差する方向を意味する。好適には、開口に略直交する方向に設定される。この時、シートは、端部のうち開口から最初に取り出される端部（本明細書では、「先端部」と呼んでいる）の一部が、開口に対向する箇所に配置されるように積み重ねられる。「シートの端部」は、シートの縁部あるいは折り返し部が対応する。「先端部の一部が開口に対向する箇所に配置される」態様は、開口側に積み重ねられているシートの先端部の一部を、開口を介して見ることができる態様が対応する。また、シートは、シートの先端部より開口と反対側に隣接する折り返し部が、開閉部によって開口が閉じられている時に、開口を挟んで摘み部と反対側に配置されるように積み重ねられる。「先端部より開口と反対側」は、「先端部より、シートの積み重ね方向に沿って、開口と反対側」を意味する。
係合部は、開閉部によって開口が閉じられている時に、開口側に積み重ねられているシートの先端部と、当該先端部より開口と反対側に隣接する折り返し部との間の部分に対向する箇所に配置される。なお、本体が柔軟性を有する材料によって形成されている場合には、収容空間内でシートが移動しても、係合部が、必ず、シートの先端部と、当該先端部より開口と反対側に隣接する折り返し部との間の部分に対向する箇所に配置されるように構成するのが好ましい。例えば、係合部の形状や大きさ、蓋に対する配設位置等を選択する。
本発明では、シートの端部のうち、開口から最初に取り出される端部（先端部）の一部が、開口に対応する箇所に配置されている。これにより、蓋に設けられている係合部を用いて、開口側に積み重ねられているシートの一部を開口から引き出す際の抵抗力を抑えることができる。また、開口側に積み重ねられているシートの先端部より開口と反対側に隣接する折り返し部が、開閉部によって開口が閉じられている時に、開口を挟んで蓋の摘み部と反対側に配置されている。これにより、蓋に設けられている係合部を用いて、開口側に積み重ねられているシートの一部を開口から引き出す際の抵抗力をより抑えることができる。また、係合部は、開閉部によって開口が閉じられている時に、開口側に積み重ねられているシートの先端部と、当該先端部より開口と反対側に隣接する折り返し部の間の部分に対向する箇所に配置されている。これにより、開口側に積み重ねられているシートの先端部を開口から確実に引き出すことができる。したがって、シートを開口から容易、確実に取り出すことができる。
【０００５】
本発明の一つの形態では、シートは、先端部の長さが、当該先端部と直交する方向（蓋の長手方向）の長さより長くなるように折り返されている。これにより、同じ面積で、先端部の長さが当該先端部と直交する方向の長さより短くなるように折り返した場合に比べて、係合部の、シートの先端部に沿った長さを長くすることができる。したがって、係合部を用いて、シートの一部を開口からより確実に取り出すことができる。
【０００６】
本発明の他の形態では、隣接して積み重ねられるシートのうち、開口と反対側のシートの先端部が、開口側のシートの片の間に挟まれないように構成されている。例えば、シートの折り返し態様や積み重ね態様を適切に選択する。これにより、１つのシートを本体の開口から取り出した時、次に取り出されるシートの先端部が本体の開口から飛び出ることがない。本形態は、例えば、乾燥を防止する必要があるシート（例えば、ウェットティッシュ）を本体の収容空間に収容する場合に好適に用いることができる。
【０００７】
本発明の更に他の形態では、シートの先端部として折り返し部が用いられている。これにより、係合部によって開口から取り出すシートの部分が二重になり、強度を高めることができる。また、収容空間に、より大きいシートを収容することができる。
【０００８】
本発明の更に他の形態では、シートと蓋を剥離可能に接着する接着剤（例えば、感圧接着剤）あるいはメカニカルテープ（「面ファスナ」とも呼ばれる）によって構成される係合部を用いている。シートが不織布等によって構成されている場合には、メカニカルテープを用いるのが好ましい。接着剤によって係合部を構成する場合には、蓋の一つの面に塗布された接着剤によって係合部を構成することもできる。
【０００９】
本発明の更に他の形態では、蓋は、本体の表面からの剥離を防止するための剥離防止部を有している。剥離防止部は、開口を開ける際に、蓋の全部が本体の表面から剥離されるのを防止する機能を有している。剥離防止部は、典型的には、蓋の摘み部を指で摘んで、摘み部側から順に本体の表面から剥離する際に、剥離防止部の箇所まで剥離された時に摘み部に作用する反力を変えるように構成される。例えば、接着シートに、一方の切断線端部と他方の切断線端部の間に、蓋の外周形状に沿って切断線が形成される場合には、切断線端部を結ぶ部分が剥離防止部として機能する。あるいは、蓋の開閉部を開口を覆う部分と固定部分に分割し、開口を覆う部分に第１の接着剤を塗布し、固定部分に、第１の接着剤より接着力が大きい第２の接着剤を塗布する場合には、第１の接着剤と第２の接着剤の境界部分が剥離防止部として機能する。あるいは、蓋の外周部の２箇所に切欠を形成する場合には、切欠を結ぶ部分が剥離防止部として機能する。そして、開口側に積み重ねられるシートの先端部より開口と反対側に隣接する折り返し部が、剥離防止部と平行（略平行を含む）に配置される。
これにより、シートの一部を開口から取り出す際の抵抗力をより低減することができる。また、シートと蓋の配置関係を容易に調整することができる。
【発明の効果】
【００１０】
本発明では、シートを折り返し部で折り返し、折り返したシートの端部のうち、開口から最初に取り出される端部（先端部）が本体の開口に対向する箇所に配置されている。また、係合部を用いて、シートの先端部を開口から取り出す際、シートの先端部を引っ張る力が、シートの先端部を、当該先端部より開口と反対側に隣接する折り返し部を中心として回動させる力として作用する。このため、蓋の摘み部を指で摘んで、開口が開く方向に引っ張ることにより、シートの一部を開口から容易、確実に取り出すことができる。
【発明を実施するための最良の形態】
【００１１】
以下に、ウェットティッシュ１５１を取り出し可能に収容する収容体１００として構成した、本発明の第１の実施の形態を、図１〜図６を参照して説明する。ここで、図１には、開口１１２を閉じた状態の収容体１００の斜視図が示されている。図２には、開口１１２を開いた状態の収容体１００の斜視図が示されている。図３には、図１のＩＩＩ−ＩＩＩ線断面図が示され、図４には、図２のＩＶ−ＩＶ線断面図が示されている。図５には、本実施の形態で用いられるウェットティッシュ１５１の折り返し方法が示されている。図６には、開口１１２を閉じた状態の収容体１００の平面図が示されている。
ウェットティッシュ１５１は、繊維材料をシート状に形成した基材（例えば、不織布、ガーゼ、コットンシート、ティッシュペーパー）に液体（例えば、アルコール、消毒液、化粧水）等を含浸させたものを意味する。
本実施の形態の収容体１００は、本体１１０と蓋１３０により構成されている。本体１１０が本発明の「本体」に対応し、蓋１３０が本発明の「蓋」に対応し、ウェットティッシュ１５１が本発明の「シート」に対応し、収容体１００が本発明の「収容体」に対応する。
【００１２】
本体１１０は、上壁１１０ａと下壁１１０ｂにより形成され、ウェットティッシュ１５１を収容する収容空間１１０Ｈを有している。また、本体１１０は、上壁１１０ａに形成された開口１１２を有している。収容空間１１０Ｈに収容されているウェットティッシュ１５１は、この開口１１２から取り出される。収容空間１１０Ｈが本発明の「収容空間」に対応し、開口１１２が本発明の「シートを収容空間から取り出すための開口」に対応する。
本体１１０は、例えば、加熱することによって融着可能なフィルム（「熱融着フィルム」という）によって形成される。典型的には、本体１１０は、熱融着フィルムによってウェットティッシュ１５１（積み重ね体１５０）を包み、熱融着フィルムが重ねられている縦シール部（図示省略）および横シール部１１１ａ、１１１ｂを押圧および加熱し、縦シール部および横シール部１１１ａ、１１１ｂで熱融着フィルムを結合することによって形成される。縦シール部は、本体１１０の下部に、収容体１００の製造時における熱融着フィルムの搬送方向に沿って形成される。また、横シール部１１１ａ、１１１ｂは、収容体１００の製造時における熱融着フィルムの搬送方向に沿って離れた前後の箇所に、熱融着フィルムの搬送方向に直交する方向に沿って形成される。
本体１１０を形成する熱融着フィルムとしては、加熱することによって融着可能な種々のフィルムを用いることができる。なお、本実施の形態では、ウェットティッシュ１５１を収容するため、熱融着フィルムとしては、ウェットティッシュ１５１の湿潤状態（湿った状態）を保持可能、言い換えれば、乾燥を防止可能なフィルムを用いるのが好ましい。例えば、ポリエチレンテレフタレート（ＰＥＴ）樹脂により形成される保護層、アルミニウムにより形成される湿潤保持層（乾燥防止層）、二軸延伸ポリプロピレン樹脂により形成される熱融着層（ヒートシール層）が積層された積層フィルム（ラミネートフィルム）が用いられる。このような熱融着フィルムを用いて本体１１０を形成する場合には、縦シール部および横シール部において、熱融着層（二軸延伸ポリプロプレン樹脂層）が対向するように、熱融着フィルムを重ねる。なお、保護層は省略することができる。また、湿潤保持層（乾燥防止層）は、収容空間１１０Ｈに収容されているウェットティッシュ１５１の湿潤状態を維持する（乾燥を防止する）ことができればよく、アルミニウム層に限定されない。また、熱融着層は、加熱されることによって融着されればよく、二軸延伸ポリプロピレン樹脂層に限定されない。
【００１３】
本体１１０の上壁１１０ａは、開口縁１１２ａに沿って切断され、開口１１２が形成されている。開口１１２（開口縁１１２ａ）は、ウェットティッシュ１５１を収容空間１１０Ｈから取り出すことができる種々の形状に形成することができる。例えば、長軸と短軸を有する楕円形状、円形形状、四角形状に形成することができる。本実施の形態では、楕円形状を有する開口１１２（開口縁１１２ａ）が形成されている。なお、開口１１２の楕円形状は、長軸が、本体１１０の長手方向（収容空間１１０Ｈに収容されたウェットティッシュ１５１の先端部１５１Ｘに平行な方向）を向き、短軸が、本体１１０の長手方向に直交する方向を向くように形成されている。
【００１４】
ウェットティッシュ１５１は、折り返された状態で収容空間１１０Ｈ内に積み重ねられる。本実施の形態では、折り返したウェットティッシュ１５１を積み重ねて積み重ね体１５０を形成し、積み重ね体１５０を収容空間１１０Ｈ内に収容している。ウェットティッシュ１５１は、本体１１０の開口１１２に交差する方向に積み重ねられる。本実施の形態では、開口１１２に直交する方向（略直交する方向を含む）に積み重ねられている。なお、「開口に交差する方向」は、開口の面に交差する方向を意味する。
【００１５】
本実施の形態で用いられているウェットティッシュ１５１が図５に示されている。ウェットティッシュ１５１は、長さＬ１の縁部（短辺）１５１ａ、１５１ｃと長さＫ１（Ｋ１＞Ｌ１）の縁部（長辺）１５１ｂ、１５１ｄにより長方形に形成されたシート体により構成されている。そして、縁部（長辺）１５１ｂ、１５１ｄを長さＫ２、Ｋ３、Ｋ４で分割した第１の片１５１Ａ、第２の片１５１Ｂ、第３の片１５１Ｃが、折り返し部１５１ｅ、１５１ｆで折り返されている。折り返し部１５１ｅ、１５１ｆで折り返したウェットティッシュ１５１を横から見た図（折り返し部１５１ｅ、１５１ｆの折り返し線に沿った一方側から見た図）が、図５の下部に示されている。本実施の形態では、第１の片１５１Ａと第３の片１５１Ｃが、第２の片１５１Ｂ（基片）のそれぞれの面側に配置されるように折り返されている。すなわち、第１の片１５１Ａと第３の片１５１Ｃが、第２の片（基片）に対して、折り返し部１５１ｅ、１５１ｆで同じ方向に折り返されている。
このように折り返されたウェットティッシュ１５１が積み重ねられて積み重ね体１５０が形成される。本実施の形態では、同じ折り返し態様で折り返したウェットティッシュ１５１を、同じ向きに積み重ねて積み重ね体１５０を形成している。この時、図３および図４に示されているように、縁部１５１ａが開口１１２側に配置されるように積み重ねられる。また、縁部１５１ａの一部が開口１１２に対向する箇所に配置されるように積み重ねられる。例えば、本体１１０の形状、開口１１２の形状や配設位置、ウェットティッシュ１５１の形状（折り返し態様を含む）が適切に設定される。
【００１６】
なお、本明細書では、シートの縁部および折り返し部を「シートの端部」と呼ぶ。また、シートの端部のうち、開口から最初に取り出される端部を「シートの先端部」と呼ぶ。
本実施の形態では、ウェットティッシュ１５１の縁部１５１ａの一部が開口１１２に対向する箇所に配置されている。このため、ウェットティッシュ１５１の端部（縁部１５１ｂ、１５１ｄと、略平行な縁部１５１ａ〜１５１ｃおよび折り返し部１５１ｅ、１５１ｆ）のうち、縁部１５１ａが開口１１２から最初に取り出される。したがって、本実施の形態では、ウェットティッシュ１５１の縁部１５１ａが「先端部１５１Ｘ」に対応する。
【００１７】
また、本実施の形態では、積み重ね方向に隣接する２つのウェットティッシュ１５１は、開口１１２と反対側（下方側）のウェットティッシュ１５１の先端部１５１Ｘが、開口１１２側（上方側）のウェットティッシュ１５１の片の間に挟まれないように積み重ねられている。これにより、上方側のウェットティッシュ１５１が開口１１２から取り出される時に、下方側のウェットティッシュ１５１の先端部１５１Ｘ側の一部が開口１１２から飛び出ることがない。すなわち、本実施の形態では、ウェットティッシュ１５１は、開口１１２を開ける毎に１枚ずつ開口１１２から取り出される。したがって、ウェットティッシュ１５１の部分が開口１１２から飛び出すことがなく、ウェットティッシュ１５１が乾燥するのを防止することができる。
【００１８】
蓋１３０は、基材１３１と、基材１３１の１つの面に塗布された接着剤１３２により構成される。基材１３１は、例えば、ポリエチレンテレフタレート（ＰＥＴ）樹脂や二軸延伸ポリプロピレン（ＯＰＰ）樹脂等によって形成される。蓋１３０は、開閉部１３０ａと、開閉部１３０ａから延びている摘み部１３０ｂを有している。開閉部１３０ａは、本体１１０の開口１１２の面積より大きい面積を有している。そして、蓋１３０は、一つの面に塗布された接着剤１３２によって、本体１１０の上壁１１０ａの表面に接着される。この時、開閉部１３０ａは、開口１１２を覆う箇所に接着される。摘み部１３０ｂは、開閉部１３０ａを操作する際の摘みとして用いられる。接着剤としては、少なくとも開閉部１３０ａを繰り返し剥離可能に本体１１０の上壁１１０ａの表面に接着する接着剤（例えば、感圧接着剤）が用いられる。
【００１９】
本実施の形態では、蓋１３０は、接着シート１２０を用いて形成されている。接着シート１２０は、蓋１３０と同様の基材および接着剤により構成されている。この接着シート１２０は、接着剤によって、本体１１０の上壁１１０ａの表面に接着される。接着シート１２０には、切断線端部１２０ａと１２０ｂの間に、蓋１３０の外周形状に沿って切断線１２０ｃが形成されている。この切断線１２０ｃによって、開閉部１３０ａ、摘み部１３０ｂが形成される。
開口１１２を開ける時には、摘み部１３０ｂをユーザの指で摘んで引っ張り、本体１１０の上壁１１０ａの表面に接着剤３２によって接着されている蓋１３０を摘み部１３０ｂ側から順に剥離する。蓋１３０が切断線端部１２０ａと１２０ｂを結ぶ部分１３０ｃの箇所まで剥離されると、それ以上の剥離が防止される。切断線端部１２０ａと１２０ｂを結ぶ部分１３０ｃが、本発明の「剥離防止部」に対応する。なお、切断線端部１２０ａと１２０ｂを結ぶ線を「剥離防止線」と呼ぶこともできる。
蓋１３０が剥離防止部１３０ｃの箇所まで剥離された後も摘み部１３０ｃを引っ張ると、切断線端部１２０ａおよび１２０ｂの箇所が破れる虞がある。そこで、本実施の形態では、切断線１２０ｃは、切断線端部１２０ａおよび１２０ｂの近傍の箇所に、互いに対向する側に窪んでいる切欠１２０ｄおよび１２０ｅを有している。すなわち、蓋１３０の外周は、切断線端部１２０ａおよび１２０ｂの近傍の箇所に、内側に窪んでいる切欠１３０ｄおよび１３０ｅを有している。蓋１３０が切欠１３０ｄおよび１３０ｅの箇所まで剥がれると、摘み部１３０ｂを摘んでいるユーザの指に作用する反力が減少する。これにより、ユーザは、蓋１３０が剥離防止部１３０ｃの近傍まで剥がれたことを判別し、摘み部１３０を引っ張る操作を停止することができる。
なお、本実施の形態では、開口１１２側に積み重ねられているウェットティッシュ１５１の先端部１５１Ｘより、積み重ね方向（図３および図４では上下方向）に沿って、開口１１２と反対側に隣接する折り返し部１５１ｅは、蓋１３０の開閉部１３０ａによって開口１１２が閉じられている時に、開口１１２を挟んで摘み部１３０ｂと反対側に配置される。好適には、折り返し部１５１ｅは、蓋１３０の剥離防止部１３０ｃに平行（略平行を含む）に配置される。
【００２０】
また、蓋１３０は、一つの面の側（接着剤１３２が塗布されている側）に、ウェットティッシュ１５１と剥離可能に係合する係合体１４０を有している。係合体１４０が、本発明の「係合部」に対応する。
係合体１４０は、ウェットティッシュ１５１の材料等に応じて適宜選択される。例えば、ウェットティッシュ１５１が不織布で形成されている場合には、複数の鉤状のフック部を有するメカニカルテープ（「面ファスナー」とも呼ばれる）によって構成される係合体を用いるのが好ましい。この場合、ウェットティッシュ１５１がメカニカルテープのメス材として機能し、複数の鉤状のフック部を有するメカニカルテープによって構成される係合体がメカニカルテープのオス材として機能する。また、接着剤によって係合体１５１を構成することもできる。接着剤としては、ウェットティッシュ１５１に剥離可能に接着する接着剤が用いられる。この場合、蓋１３０の１つの面に塗布される接着剤１３２を用いることもできる。
係合体１４０は、蓋１３０の開閉部１３０ａによって開口１１２が閉じられている時に、開口側に積み重ねられているウェットティッシュ１５１の先端部１５１Ｘと、当該先端部１５１Ｘより開口１１２と反対側に隣接する折り返し部１５１ｅとの間の部分（本実施の形態では、第１の片１５１Ａ）の一部に対向する箇所に配置される。例えば、係合体１４０の形状や配設位置、開口１１２の形状や配設位置、ウェットティッシュ１５１（積み重ね体１５０）の形状等が適切に設定される。
【００２１】
なお、図６の平面図に示されているように、本体１１０は、長手方向（ウェットティッシュ１５１の先端部１５１Ｘが延びている方向）の長さＭと長手方向に直角な方向の幅Ｎを有し、積み重ね体１５０は、長手方向の長さＬ１と長手方向に直角な方向の幅Ｋ３を有している。また、開口１１２は、長手方向（ウェットティッシュ１５１の先端部１５１Ｘが延びている方向）の長さＰと長手方向に直角な方向の幅Ｑを有し、係合体１４０は、長手方向（ウェットティッシュ１５１の先端部１５１Ｘが延びている方向）の長さＳと長手方向に直角な方向の幅Ｔを有している。また、本体１１０（積み重ね体１５０）は、厚さＨを有している（図８参照）。また、蓋１３０は、積み重ね体１５０の長手方向（ウェットティッシュ１５１の先端部１５１Ｘが延びている方向）に直角な方向に長く形成されている。
【００２２】
次に、本実施の形態の収容体１００に収容されているウェットティッシュ１５１を取り出す操作を説明する。
ウェットティッシュ１５１を使用しない時には、図１および図３に示されているように、蓋１３０の開閉部１３０ａによって開口１１２が閉じられている。
ウェットティッシュ１５１を使用する時には、蓋１３０の摘み部１３０ｂをユーザの指で摘み、図２および図４に示されている黒矢印の方向に引っ張る。これにより、蓋１３０は、摘み部１３０ｂ側から剥離防止部１３０ｃ側に、本体１１０の上壁１１０ａの表面から順次剥がれていく。
ここで、図１および図３に示されている状態において、開口１１２側に積み重ねられているウェットティッシュ１５１の先端部１５１Ｘと、当該先端部１５１Ｘより開口１１２と反対側に隣接する折り返し部１５１ｅとの間の部分の一部に、蓋１３０の係合体１４０が係合している。このため、開口１１２側に積み重ねられているウェットティッシュ１５１の、係合体１４０と係合している部分が、蓋１３０の開方向への移動と連動して、開口１１２から取り出される。
【００２３】
この時、開口１１２側に積み重ねられているウェットティッシュ１５１の先端部１５１Ｘの一部が開口１１２に対向する箇所に配置されている。これにより、係合体１４０と係合している部分（先端部１５１Ｘと折り返し部１５１ｅの間の部分の一部）を開口１１２から取り出す際の抵抗力が小さい。特に、本実施の形態では、先端部１５１Ｘの長さが先端部１５１Ｘと直交する方向の長さより長いため、係合体１４０の、先端部１５１Ｘが延びている方向の長さを長くすることができる。これにより、ウェットティッシュ１５１の部分を大きい力で引っ張ることができる。また、開口１１２側に積み重ねられているウェットティッシュ１５１の先端部１５１Ｘより開口１１２と反対側に隣接する折り返し部１５１ｅが、開閉部１３０ａによって開口１１２が閉じられている時に、開口１１２を挟んで摘み部１３０ｂと反対側（剥離防止部１３０ｃ側）に配置されている。これにより、係合体１４０と係合しているウェットティッシュ１５１の部分を開口１１２から取り出す力が、折り返し部１５１ｅを中心として先端部１５１Ｘを回動させる力として作用するため、ウェットティッシュ１５１の部分を開口１１２から取り出す際の抵抗力が小さい。したがって、開口１１２側に積み重ねられているウェットティッシュの一部を、蓋１３０の開方向への移動に連動して容易、確実に開口１１２から取り出すことができる。
【００２４】
そして、ユーザは、開口１１２から取り出されたウェットティッシュ１５１の一部を指で摘んで引っ張り、ウェットティッシュ１５１全体を開口１１２から取り出す。
なお、蓋１３０が切欠１２０ｄおよび１２０ｅ（１３０ｄおよび１３０ｅ）の箇所まで剥がれると、摘み部１３０ｂを摘んでいるユーザの指に作用する反力が低減する。これにより、ユーザは、蓋１３０が回動軸１３０ｃｃの箇所まで剥がれたことを認識し、蓋１３０の操作を停止する。さらに、蓋１３０が剥離防止部１３０ｃの箇所まで剥がれると、剥離防止部１３０ｃによってそれ以上の剥離が防止される。
ウェットティッシュ１５１を使用しない時には、蓋１３０を図２および図４に示されている黒矢印と反対方向に移動させ、図１およびお図３に示されているように開口１１２を蓋１３０の開閉部１３０ａによって閉じる。
【００２５】
ところで、本体１１０が柔軟性を有する材料で形成されている場合、本体１１０の大きさ（長さＭ、幅Ｎ、厚さＨ）は、ウェットティッシュ１５１の残り枚数（積み重ね体１５０の厚さＨ）によって変化する。しかしながら、ウェットティッシュ１５１（積み重ね体１５０）の長さＬ１と幅Ｋ３は変化しない。このため、ウェットティッシュ１５１の残り枚数（積み重ね体１５０の厚さＨ）が減少すると、ウェットティッシュ１５１（積み重ね体１５０）の収容空間１１０Ｈ内の位置が移動する。ウェットティッシュ１５１の残り枚数（積み重ね体１５０の厚さＨ）とウェットティッシュ１５１（積み重ね体１５０）の収容空間１１０Ｈ内の位置の関係が図７および図８に示されている。
図７の破線および図８（１）は、ウェットティッシュ１５１の残り枚数が多い（積み重ね体１５０の高さＨ１）場合のウェットティッシュ１５１（積み重ね体１５０）の収容空間１１０Ｈ内の位置を示している。この場合、本体１１０は、厚さＨ１、幅Ｎ１である。
図７の一点鎖線および図８（２）は、ウェットティッシュ１５１の残り枚数が減少（積み重ね体１５０の厚さＨ２＜Ｈ１）し、ウェットティッシュ１５１（積み重ね体１５０）が収容空間１１０Ｈ内で幅方向の一方側（図７および図８の黒矢印の方向）に移動した状態が示されている。この場合、本体１１０は、厚さＨ２［Ｈ２＜Ｈ１］、幅Ｎ２［Ｎ２＞Ｎ１］である。
図７の二点鎖線および図８（３）は、ウェットティッシュ１５１の残り枚数が減少（積み重ね体１５０の厚さＨ２＜Ｈ１）し、ウェットティッシュ１５１（積み重ね体１５０）が収容空間１１０Ｈ内で幅方向の他方側（図７および図８の白矢印の方向）に移動した状態が示されている。この場合、本体１１０は、厚さＨ２［Ｈ２＜Ｈ１］、幅Ｎ２［Ｎ２＞Ｎ１］である。
ウェットティッシュ１５１（積み重ね体１５０）の収容空間１１０Ｈ内の位置が移動すると、ウェットティッシュ１５１の先端部１５１Ｘと開口１１２および係合体１４０との位置関係が変化する。
したがって、ウェットティッシュ１５１（積み重ね体１５０）が収容空間１１０Ｈ内で移動した場合でも、ウェットティッシュ１５の先端部１５１Ｘの一部が開口１１２に対向する箇所に配置され、ウェットティッシュ１５１の先端部１５１Ｘと、当該先端部１５１Ｘより開口１１２と反対側に隣接する折り返し部１５１ｅとの間の部分の一部が係合体１４０に対向する箇所に配置されるように設定するのが好ましい。例えば、本体１１０の開口１１２の形状や配設位置、蓋１３０の係合体１４０の形状や配設位置、ウェットティッシュ１５１の先端部１５１Ｘの位置を設定する。
なお、ウェットティッシュ１５１（積み重ね体１５０）は、収容空間１１０Ｈ内を本体１１０の長手方向（図７の左右方向）にも移動する。しかしながら、ウェットティッシュ１５１（積み重ね体１５０）が長手方向に移動した場合、ウェットティッシュ１５１の先端部１５１Ｘの、係合部１３０と対向する箇所が、先端部１５１Ｘに沿って移動するだけである。このため、ウェットティッシュ１５１（積み重ね体１５０）の幅方向への移動のみを考慮すればよい。
【００２６】
収容体の収容空間に収容するウェットティッシュは、前述したウェットティッシュ１５１に限定されない。異なるウェットティッシュ２５１を収容する第２の実施の形態の収容体２００が、図９〜図１１に示されている。図９には、開口２１２が閉じている状態の収容体２００の断面図が示されている。図１０には、開口２１２が開いている状態の収容体２００の断面図が示されている。図１１には、収容体２００に収容されるウェットティッシュ２５１の折り返し方法が示されている。
図９および図１０に示されている収容体２００は、ウェットティッシュ２５１を除いて、前述した収容体１００と同じ構成である。図９および図１０には、前述した収容体１００の構成要素と同じ構成要素には、１００の位の数字を除いて同じ参照符号が付されている。
【００２７】
本実施の形態で用いられているウェットティッシュ２５１は、図１１に示されているように、長さＬ１１の縁部（短辺）２５１ａ、２５１ｃと長さＫ１１（Ｋ１１＞Ｌ１１）の縁部（長辺）２５１ｂ、２５１ｄにより長方形に形成されたシート体により構成されている。そして、縁部（長辺）２５１ｂ、２５１ｄを長さＫ１２、Ｋ１３、Ｋ１４、Ｋ１５、Ｋ１６で分割した第１の片２５１Ａ、第２の片２５１Ｂ、第３の片２５１Ｃ、第４の片２５１Ｄ、第５の片２５１Ｅが、折り返し部２５１ｅ、２５１ｆ、２５１ｇ、２５１ｈで折り返されている。折り返し部２５１ｅ〜２５１ｈで折り返したウェットティッシュ２５１を横から見た図（折り返し部２５１ｅ〜２５１ｈの折り返し線に沿った一方側から見た図）が、図１１の下部に示されている。本実施の形態では、第１の片２５１Ａと第２の片２５１Ｂが第３の片２５１Ｃ（基片）の一方の面側に配置され、第４の片２５１Ｄと第５の片２５１Ｅが第３の片２５１Ｃ（基片）の他方の面側に配置されるように折り返されている。すなわち、第２の片２５１Ｂと第４の片２５１Ｄが、第３の片（基片）に対して、折り返し部２５１ｆ、２５ｇで同じ方向に折り返されている。また、第１の片２５１Ａが、第２の片２５１Ｂに対して、折り返し部２５１ｅで、折り返し部２５１ｆと同じ方向に折り返されている。また、第５の片２５１Ｅが、第４の片２５１Ｄに対して、折り返し部２５１ｈで、折り返し部２５１ｇと同じ方向に折り返されている。
【００２８】
このように折り返されたウェットティッシュ２５１が積み重ねられて積み重ね体２５０が形成される。本実施の形態では、同じ折り返し態様で折り返したウェットティッシュ２５１を、同じ向きに積み重ねて積み重ね体２５０を形成している。この時、図９および図１０に示されているように、縁部２５１ａに隣接する折り返し部２５１ｅが開口２１２側に配置されるように積み重ねられる。また、折り返し部２５１ｅの一部が開口２１２に対向する箇所に配置されるように積み重ねられる。このため、本実施の形態では、端部（縁部２５１ｂ、２５１ｄと、略平行な縁部２５１ａ、２５１ｃおよび折り返し分２５１ｅ、２５１ｆ、２５１ｇ、２５１ｈ）のうち、折り返し部２５１ｆが開口２１２から最初に取り出される。したがって、本実施の形態では、ウェットティッシュ２５１の折り返し部２５１ｅが「先端部２５１Ｘ」に対応する。
また、本実施の形態では、開口２１２側に積み重ねられているウェットティッシュ１５１の先端部２５１Ｘ（２５１ｅ）より、積み重ね方向（図９および図１０では上下方向）に沿って、開口２１２と反対側に隣接する折り返し部２５１ｆは、蓋２３０の開閉部２３０ａによって開口２１２が閉じられている時に、開口２１２を挟んで摘み部２３０ｂと反対側に配置される。好適には、折り返し部２５１ｆは、蓋２３０の剥離防止部２３０ｃに平行（略平行を含む）に配置される。
本実施の形態では、ウェットティッシュ２５１の先端部２５１Ｘとして、折り返し部２５１ｅが用いられている。このため、図１０に示されているように、蓋２３０の係合体２４０と係合する部分（開口２２２から最初に取り出される部分）が、ウェットティッシュ２５１が折り返されて二重になり、十分な強度を有している。また、収容空間２１０Ｈに、前述したウェットティッシュ１５１より大きいウェットティッシュ２５１を収容することができる。あるいは、同じ大きさのウェットティッシュを、小さい本体に収容することができる。
【００２９】
以上の実施の形態では、接着シートを切断線で切断した蓋を用いたが、これ以外の蓋を用いることができる。他の構成の蓋を用いた第３の実施の形態が図１２および図１３に示されている。図１２には、開口３１２が閉じている状態の収容体３００の断面図が示されている。図１３には、開口３１２が開いている状態の収容体３００の断面図が示されている。なお、図１２および図１３に示されている実施の形態では、図５に示されているウェットティッシュ１５１と同様のウェットティッシュ３５１が用いられている。
図１２および図１３に示されている収容体３００は、蓋３３０を除いて、前述した収容体１００と同じ構成である。図１２および図１３には、前述した収容体１００の構成要素と同じ構成要素には、１００の位の数字を除いて同じ参照符号が付されている。
蓋３３０は、基材３３１と、基材３３１の１つの面に塗布された接着剤により構成され、開閉部３３０ａと摘み部３３０ｂを有している。本実施の形態では、開閉部３３０ａは、開口３１２を覆う部分と固定部分に分割されている。そして、開口３１２を覆う部分に対応する箇所には、第１の接着剤３３２ａが塗布され、固定部分に対応する箇所には、第１の接着剤３３２ａより接着力が大きい第２の接着剤３３２ｂが塗布されている。基材３１３は、前述した材料によって形成される。また、第１の接着剤３３２ａおよび第２の接着剤３３２ｂは、前述した接着剤が用いられる。３３０ｃは、第１の接着剤３３２ａと第２の接着剤３３２ｂの境界部分である。第２の接着剤３３２ｂとしては、蓋３３０を本体３１０の表面に繰り返し剥離可能に接着する接着剤を用いてもよいし、蓋３３０を本体３１０の表面に剥離不能に接着する接着剤を用いてもよい。
開口３１２を開ける際には、前述した実施の形態と同様に、摘み部３３０ｂをユーザの指で摘んで引っ張る。ここで、蓋３３０が第１の接着剤３３２ａと第２の接着剤３３２ｂの境界部分３３０ｃの箇所まで剥離されると、第１の接着剤３３２ａの接着力より大きい第２の接着剤３３２ｂの接着力によって、蓋３３０のそれ以上の剥離が防止される。本実施の形態では、第１の接着剤３３２ａと第２の接着剤３３２ｂの境界部分３３０ｃが、本発明の「剥離防止部」あるいは「剥離防止線」に対応する。
本実施の形態では、開口３１２側に積み重ねられているウェットティッシュ３５１の先端部３５１Ｘより開口３１２と反対側に隣接する折り返し部３５１ａは、開閉部３３０ａによって開口３１２が閉じられている時に、開口３１２を挟んで摘み部３３０ｂと反対側に配置される。好適には、剥離防止部３３０ｃと平行（略平行を含む）に配置される。
【００３０】
なお、蓋３３０の基材の１つの面に第１の接着剤３３２ａおよび第２の接着剤３３２ｂを塗布する方法を用いる代わりに、蓋３３０の外周に、対向する箇所に切欠３３０ｄおよび３３０ｅを形成する方法を用いることもできる。この場合には、蓋３３０が切欠３３０ｄおよび３３０ｅの箇所まで剥離されると、摘み部３３０ｂを摘んでいるユーザの指に作用する反力が減少する。これにより、ユーザは、蓋３３０が剥離防止部３３０ｃの近傍まで剥がれたことを判別し、摘み部３３０を引っ張る操作を停止する。本実施の形態では、切欠３５０ｄと３５０ｅを結ぶ部分３３０ｃが、本発明の「剥離防止部」あるいは「剥離防止線」に対応する。
勿論、蓋３３０の１つの面に第１の接着剤３３２ａおよび第２の接着剤３３２ｂを塗布する方法と、蓋３３０の外周に一対の切欠３３０ｄおよび３３０ｅを形成する方法の両方を用いることもできる。
また、摘み部３３０を摘んでいるユーザの指に作用する反力を減少させる方法は、切欠を設ける方法に限定されず、傾斜部を設ける方法等の種々の方法を用いることができる。
【００３１】
収容体の収容空間に異なるウェットティッシュを収容する第４の実施の形態を説明する。本実施の形態では、図１４に示すウェットティッシュ４５１が収容される。
図１４に示されているウェットティッシュ４５１は、長さＬ２１の縁部（長辺）４５１ａ、４５１ｃと長さＫ２１（Ｋ２１＜Ｌ２１）の縁部（短辺）４５１ｂ、４５１ｄにより長方形に形成されたシート体により構成されている。そして、縁部４５１ｂ、４５１ｄを長さＫ２２、Ｋ２３で分割した第１の片４５１Ａ、第２の片４５１Ｂが、折り返し部４５１ｅで折り返されている。折り返し部４５１ｅで折り返したウェットティッシュ４５１を横から見た図（折り返し部４５１ｅの折り返し線に沿った一方側から見た図）が、図１４の下部に示されている。本実施の形態では、第１の片４５１Ａが第２の片４５１Ｃ（基片）の一方の面側に配置されるように折り返されている。
このように折り返されたウェットティッシュ４５１が積み重ねられて積み重ね体４５０が形成される。この時、縁部４５１ａが開口側に配置されるように積み重ねられる。また、縁部４５１ａの一部が開口に対向する箇所に配置されるように積み重ねられる。このため、本実施の形態では、端部（縁部４５１ｂ、４５１ｄと、略平行な縁部４５１ａ、４５１ｃおよび折り返し部４５１ｅ）のうち、縁部４５１ａが開口から最初に取り出される。したがって、本実施の形態では、ウェットティッシュ４５１の縁部４５１ａが「先端部４５１Ｘ」に対応する。
また、本実施の形態では、開口側に積み重ねられているウェットティッシュ４５１の先端部４５１Ｘより、積み重ね方向に沿って、開口と反対側に隣接する折り返し部４５１ｅは、蓋の開閉部によって開口が閉じられている時に、開口を挟んで摘み部と反対側に配置される。好適には、折り返し部４５１ｅは、蓋の剥離防止部に平行（略平行を含む）に配置される。
【００３２】
収容体の収容空間に異なるウェットティッシュを収容する第５の実施の形態を説明する。本実施の形態では、図１５に示すウェットティッシュ５５１が収容される。
図１５に示されているウェットティッシュ５５１は、長さＬ３１の縁部（短辺）５５１ａ、４５１ｃと長さＫ３１（Ｋ３１＞Ｌ３１）の縁部（長辺）５５１ｂ、５５１ｄにより長方形に形成されたシート体により構成されている。そして、縁部（長辺）５５１ｂ、５５１ｄを長さＫ３２、Ｋ３３、Ｋ３４で分割した第１の片５５１Ａ、第２の片５５１Ｂ、第３の片５５１Ｃが、折り返し部５５１ｅ、５５１ｆで折り返されている。折り返し部５５１ｅ、５５ｆで折り返したウェットティッシュ５５１を横から見た図（折り返し部５５１ｅ、５５１ｆの折り返し線に沿った一方側から見た図）が、図１５の下部に示されている。本実施の形態では、第１の片５５１Ａと第３の片５５１Ｃが第２の片（基片）５５１Ｂの一方の面側に配置されるように折り返されている。すなわち、第１の片５５１Ａと第３の片５５１Ｃが、第２の片（基片）に対して、折り返し部２５１ｅ、２５１ｆで逆方向に折り返されている。また、本実施の形態では、第３の片５５１Ｂが第１の片５５１Ａと２の片５５１Ｂの間に挟まれるように折り返される。なお、第３の片５５１第１の片５５１Ａと第３の片５５１Ｃが重ならないように折り返される。
このように折り返されたウェットティッシュ５５１が積み重ねられて積み重ね体５５０が形成される。この時、縁部５５１ａが開口側に配置されるように積み重ねられる。また、縁部５５１ａの一部が開口に対向する箇所に配置されるように積み重ねられる。このため、本実施の形態では、端部（縁部５５１ｂ、５５１ｄと、略平行な縁部５５１ａ、５５１ｃおよび折り返し部５５１ｅ、５５１ｆ）のうち、縁部５５１ａが開口から最初に取り出される。したがって、本実施の形態では、ウェットティッシュ５５１の縁部５５１ａが「先端部５５１Ｘ」に対応する。
また、本実施の形態では、開口側に積み重ねられているウェットティッシュ５５１の先端部５５１Ｘより、積み重ね方向に沿って、開口と反対側に隣接する折り返し部５５１ｅは、蓋の開閉部によって開口が閉じられている時に、開口を挟んで摘み部と反対側に配置される。好適には、折り返し部５５１ｅは、蓋の剥離防止部に平行（略平行を含む）に配置される。
【００３３】
収容体の収容空間に異なるウェットティッシュを収容する第６の実施の形態を説明する。本実施の形態では、図１６に示すウェットティッシュ６５１が収容される。
図１６に示されているウェットティッシュ６５１は、長さＬ４１の縁部（長辺）６５１ａ、６５１ｃと長さＫ４１（Ｋ４１＜Ｌ４１）の縁部（短辺）６５１ｂ、６５１ｄにより長方形に形成されたシート体により構成されている。そして、縁部６５１ｂ、６５１ｄを長さＫ４２、Ｋ４３、Ｋ４４で分割した第１の片６５１Ａ、第２の片６５１Ｂ、第３の片６５１Ｃが、折り返し部６５１ｅ、６５１ｆで折り返されている。この折り返し方法は、図５に示されているウェットティッシュ１５１と同様である。さらに、縁部６５１ａ、６５１ｃを分割した（例えば、等分に分割した）折り返し部６５１ｇで折り返され、第１の片６５１Ａ、第２の片６５１Ｂ、第３の片６５１Ｃが、それぞれ、分割片６５１Ａａと６５１Ａｂ、６５１Ｂａと６５１Ｂｂ、６５１Ｃａと６５１Ｃｂに分割されている。折り返し部６５１ｅ、６５１ｆ、６５１ｇで折り返したウェットティッシュ６５１を横から見た図が、図１６の下部に示されている。
このように折り返されたウェットティッシュ６５１が積み重ねられて積み重ね体６５０が形成される。この時、折り返し部６５１ｇで折り返された一方側の部分（一方側の分割片６５１Ａａ、６５１Ｂａ、６５１Ｃａ）が開口側に配置されるように積み重ねられる。また、縁部６５１ａのうち、第１の片の一方側の分割片６５１Ａａに対応する部分の一部が開口に対向する箇所に配置されるように積み重ねられる。すなわち、本実施の形態では、端部（縁部６５１ｂ、６５１ｄと、略平行な縁部６５１ａ、６５１ｃおよび折り返し部６５１ｅ、６５１ｆと、折り返し部６５１ｇ）のうち、縁部６５１ａの、第１の片６５１Ａの一方側の分割片６５１Ａａに対応する部分が開口から最初に取り出される。したがって、本実施の形態では、ウェットティッシュ５５１の縁部６５１ａの、第１の片６５１Ａの一方側の分割片６５１Ａａに対応する部分が「先端部６５１Ｘ」に対応する。
また、本実施の形態では、開口側に積み重ねられているウェットティッシュ６５１の先端部６５１Ｘ（縁部６５１ａの、一方側の分割片６５１Ａａに対応する部分）より、積み重ね方向に沿って、開口と反対側に隣接する折り返し部６５１ｅ（詳しくは、折り返し部６５１ｅの一方側の分割片６５１Ａａに対応する部分）は、蓋の開閉部によって開口が閉じられている時に、開口を挟んで摘み部と反対側に配置される。好適には、折り返し部６５１ｅは、蓋の剥離防止部に平行（略平行を含む）に配置される。
【００３４】
収容体の収容空間に異なるウェットティッシュを収容する第７の実施の形態を説明する。本実施の形態では、図１７に示すウェットティッシュ７５１が収容される。
図１７に示されているウェットティッシュ７５１は、長さＬ５１の縁部（長辺）７５１ａ、７５１ｃと長さＫ５１（Ｋ５１＜Ｌ５１）の縁部（短辺）７５１ｂ、７５１ｄにより長方形に形成されたシート体により構成されている。そして、縁部７５１ｂ、７５１ｄを長さＫ５２、Ｋ５３、Ｋ５４、Ｋ５５、Ｋ５６分割した第１の片７５１Ａ、第２の片７５１Ｂ、第３の片７５１Ｃ、第４の片７５１Ｄ、第５の片７５１Ｅが、折り返し部７５１ｅ、７５１ｆ、７５１ｇ、７５１ｈで折り返されている。この折り返し方法は、図１１に示されているウェットティッシュ２５１と同様である。さらに、縁部７５１ａ、７５１ｃを分割した（例えば、等分に分割した）折り返し部７５１ｉで折り返され、第１の片７５１Ａ、第２の片７５１Ｂ、第３の片７５１Ｃ、第４の片７５１Ｄ、第５の片７５１Ｅが、それぞれ、分割片７５１Ａａと７５１Ａｂ、７５１Ｂａと７５１Ｂｂ、７５１Ｃａと７５１Ｃｂ、７５１Ｄａと７５１Ｄｂ、７５１Ｅａと７５１Ｅｂに分割されている。折り返し部７５１ｅ、７５１ｆ、７５１ｇ、７５１ｈ、７５１ｉで折り返したウェットティッシュ７５１を横から見た図が、図１７の下部に示されている。
このように折り返されたウェットティッシュ７５１が積み重ねられて積み重ね体７５０が形成される。この時、折り返し部７５１ｉで折り返された一方側の部分（一方側の分割片７５１Ａａ、７５１Ｂａ、７５１Ｃａ、７５１ｄａ、７５１Ｅａ）が開口側に配置されるように積み重ねられる。また、縁部７５１ａに隣接する折り返し部７５ｅの、第１の片７５１Ａの一方側の分割片７５１Ａａに対応する部分の一部が、開口に対向する箇所に配置されるように積み重ねられる。すなわち、本実施の形態では、端部（縁部７５１ｂ、７５１ｄと、略平行な縁部７５１ａ、７５１ｃおよび折り返し部７５１ｅ、７５１ｆ、７５１ｇ、７５１ｈと、折り返し部７５１ｉ）のうち、折り返し部７５１ｅの、第１の片７５１Ａの一方側の分割片７５１Ａａに対応する部分が、開口から最初に取り出される。したがって、本実施の形態では、ウェットティッシュ７５１の折り返し部７５１ｅの、第１の片７５１Ａの一方側の分割片７５１Ａａに対応する部分が「先端部７５１Ｘ」に対応する。
また、本実施の形態では、開口側に積み重ねられているウェットティッシュ７５１の先端部７５１Ｘ（折り返し部７５１ｅの、一方側の分割片７５１Ａａに対応する部分）より、積み重ね方向に沿って、開口と反対側に隣接する折り返し部７５１ｆ（詳しくは、折り返し部７５１ｆの一方側の分割片７５１Ｂａに対応する部分）は、蓋の開閉部によって開口が閉じられている時に、開口を挟んで摘み部と反対側に配置される。好適には、折り返し部７５１ｆは、蓋の剥離防止部に平行（略平行を含む）に配置される。
【００３５】
以上のように、本発明の収容体では、開口側に積み重ねられるウェットティッシュの先端部の一部が開口に対向する箇所に配置されている。また、開口側に積み重ねられているウェットティッシュの先端部より開口と反対側に隣接する折り返し部が、開閉部によって開口が閉じられている時に、開口を挟んで蓋の摘み部と反対側に配置されている。好適には、蓋の剥離防止部に平行（略平行を含む）に配置される。また、係合体が、開閉部によって開口が閉じられている時に、開口側に積み重ねられているウェットティッシュの先端部と、当該先端部より開口と反対側に隣接する折り返し部との間の部分の一部に対向する箇所に配置されている。これにより、蓋の剥離操作に連動して、蓋の係合部と係合したウェットティッシュの部分が開口から容易、確実に取り出される。
【００３６】
本発明は、実施の形態で説明した構成に限定されず、種々の変更、追加、削除が可能である。
本発明の収容体に収容するシートは、ウェットティッシュに限定されない。例えば、ティッシュペーパー等の種々のシートを収容することができる。
シート体の形状やシートの折り返し態様は、実施の形態で説明したシート体や折り返し態様に限定されない。
シートの積み重ね態様としては、種々の積み重ね態様を用いることができる。例えば、同じ折り返し方法で折り返したシートを積み重ねる態様や、異なる折り返し方法で折り返したシートを積み重ねる態様を用いることができる。
本体を形成する材料や本体の形状、シートを形成する材料やシートの形状、開口の形状や配設箇所は、適宜設定可能である。例えば、本体を樹脂や紙で形成することもできる。
係合部としては、シートに剥離可能に係合する種々の係合部を用いることができる。
剥離防止部は，摘み部を摘んでいるユーザの指に加わる反力を変えることができればよい。
実施の形態で説明した各構成は、単独で使用することもできるし、適宜選択した複数の構成を組み合わせて用いることもできる、
本体の表面に接着した接着シートの一部を蓋として用いたが、蓋は、種々の方法で形成することができる。
【図面の簡単な説明】
【００３７】
【図１】第１の実施の形態の斜視図（開口が閉じられている状態）である。
【図２】第１の実施の形態の斜視図（開口が開いている状態）である。
【図３】図１のＩＩＩ−ＩＩＩ線断面図である。
【図４】図２のＩＶ−ＩＶ線断面図である。
【図５】第１の実施の形態のウェットティッシュの折り返し方法を説明する図である。
【図６】開口、ウェットティッシュおよび係合体の位置関係を説明する図である。
【図７】ウェットティッシュの位置がずれた場合の開口、ウェットティッシュおよび係合体の位置関係を説明する図である。
【図８】ウェットティッシュの位置がずれた場合の開口、ウェットティッシュおよび係合体の位置関係を説明する図である。
【図９】第２の実施の形態の断面図（開口が閉じられている状態）である。
【図１０】第２の実施の形態の断面図（開口が開いている状態）である。
【図１１】第２の実施の形態のウェットティッシュの折り返し方法を説明する図である。
【図１２】第３の実施の形態の斜視図（開口が閉じている状態）である。
【図１３】第３の実施の形態の斜視図（開口が開いている状態）である。
【図１４】第４の実施の形態の断面図（開口が閉じられている状態）である。
【図１５】第４の実施の形態の断面図（開口が閉じられている状態）である。
【図１６】第５の実施の形態のウェットティッシュの折り返し方法を説明する図である。
【図１７】第６の実施の形態のウェットティッシュの折り返し方法を説明する図である。
【図１８】従来例の斜視図（開口が閉じている状態）である。
【図１９】従来例の斜視図（開口が開いている状態）である。
【符号の説明】
【００３８】
１００、２００、３００、４００、５００、８００  収容体
１１２、２１２、３１２、４１２、５１２  開口
１１２ａ、２１２ａ、３１２ａ、８１２ｃ  開口縁
１１０、２１０、３１０、４１０、５１０、８１０  本体
１１０ａ、２１０ａ、３１０ａ、４１０ａ、５１０ａ、８１０ａ  上壁
１１０ｂ、２１０ｂ、３１０ｂ、４１０ｂ、５１０ｂ、８１０ｂ  下壁
１１０Ｈ、２１０Ｈ、４１０Ｈ、５１０Ｈ  収容空間
１２０、２２０、４２０、５２０  接着シート
１２０ａ、１２０ｂ  切断線端部
１２０ｃ、２２０ｃ  切断線
１２０ｄ、１２０ｅ、１３０ｄ、１３０ｅ、３３０ｄ、３３０ｅ  切欠
１３０、２３０、３３０、４３０、５３０、８３０  蓋
１３０ａ、３３０ａ、８３０ａ  開閉部
１３０ｂ、３３０ｂ、８３０ｂ  摘み部
１３０ｃ、３３０ｃ  剥離防止部
１３１、２３１、３３１、４３１、５３１、８３１  基材
１３２、２３２、４３２、８３２  接着剤
１４０、２４０、３４０、４４０、５４０  係合体（係合部）
１５０、２５０、３５０、４５０、５５０、６５０、７５０、８５０  積み重ね体
１５１、２５１、３５１、４５１、５５１  ウェットティッシュ
１５１ａ、１５１ｂ、１５１ｃ、１５１ｄ、２５１ａ、２５１ｂ、２５１ｃ、２５１ｄ、３５１ａ、４５１ａ、４５１ｃ、５５１ａ、５５１ｃ、６５１ａ、６５１ｂ、６５１ｃ、６５１ｄ、７５１ａ、７５１ｂ、７５１ｃ、７５１ｄ  縁部
１５１ｅ、１５１ｆ、２５１ｅ、２５１ｆ、２５１ｇ、２５１ｈ、３５１ｅ、３５１ｆ、４５１ｅ、５５１ｅ、５５１ｆ、６５１ｅ、６５１ｆ、６５１ｇ、７５１ｅ、７５１ｆ、７５１ｇ、７５１ｈ、７５１ｉ  折り返し部
１５１Ａ、１５１Ｂ、１５１Ｃ、２５１Ａ、２５１Ｂ、２５１Ｃ、２５１Ｄ、２５１Ｅ、３１５Ａ、３５１Ｂ、４５１Ａ、４５１Ｂ、５５１Ａ、５５１Ｂ、５５１Ｃ、６５１Ａ、６５１Ｂ、６５１Ｃ、７５１Ａ、７５１Ｂ、７５１Ｃ、７５１Ｄ、７５１Ｅ  片
６５１Ａａ、６５１Ａｂ、６５１Ｂａ、６５１Ｂｂ、６５１Ｃａ、６５１Ｃｂ、７５１Ａａ、７５１Ａｂ、７５１Ｂａ、７５１Ｂｂ、７５１Ｃａ、７５１Ｃｂ、７５１Ｄａ、７５１Ｄｂ、７５１Ｅａ、７５１Ｅｂ  分割片
１５１Ｘ、２５１Ｘ、３５１Ｘ、４５１Ｘ、５５１Ｘ、６５１Ｘ、７５１Ｘ  先端部
３３２ａ  第１の接着剤
３３２ｂ  第２の接着剤
５１２ａ、５１２ｂ  開口縁端部
８３３  舌片
８３３ａ  切断線
８３３ｂ  孔
【図１】
2010042826.tif 000003
【図２】
2010042826.tif 000004
【図３】
2010042826.tif 000005
【図４】
2010042826.tif 000006
【図５】
2010042826.tif 000007
【図６】
2010042826.tif 000008
【図７】
2010042826.tif 000009
【図８】
2010042826.tif 000010
【図９】
2010042826.tif 000011
【図１０】
2010042826.tif 000012
【図１１】
2010042826.tif 000013
【図１２】
2010042826.tif 000014
【図１３】
2010042826.tif 000015
【図１４】
2010042826.tif 000016
【図１５】
2010042826.tif 000017
【図１６】
2010042826.tif 000018
【図１７】
2010042826.tif 000019
【図１８】
2010042826.tif 000020
【図１９】
2010042826.tif 000021